(57)【特許請求の範囲】
【請求項１】
基礎の施工予定領域の地盤中に所定間隔で場所打ちコンクリート杭を造成すると共にその造成過程で前記場所打ちコンクリート杭に鉄骨材からなる仮柱を地上の所定高さに突出した状態で埋設してから、
前記仮柱の天端の捨てプレート上に鉄骨柱を建て込んでこの捨てプレートと鉄骨柱とを結合し、
その後前記基礎の施工予定領域の地盤を根切り掘削してこの根切り掘削部内に前記場所打ちコンクリート杭の天端と一体の基礎を構築しこの基礎のコンクリート中に前記仮柱全体を埋設状態とし、この基礎構築作業に並行して、地上の躯体の施工を行うことを特徴とする鉄骨の先行建方による建築物の施工方法。
【発明の詳細な説明】
【０００１】
【発明の属する技術分野】
本発明は、鉄骨建方を伴う建築物の施工技術に関するものである。
【０００２】
【従来の技術】
従来、鉄骨・鉄筋コンクリート造の建築物の施工は、次のような工程で行われている。
(1) 基礎及び地中梁（以下、単に基礎という）の施工予定領域に沿って地盤中に所定間隔で場所打ちコンクリート杭を造成する。
(2) 前記基礎の施工予定領域の地盤を根切り掘削し、この根切り部内に型枠及び鉄筋を組み立てる。
(3) 前記型枠内における前記各場所打ちコンクリート杭と対応する位置に、それぞれ鉄骨柱の建て込みのための所要数のアンカーボルトを設置する。
(4) 前記型枠内にコンクリートを打設することによって基礎を構築する。
(5) 基礎のコンクリートが一定の養生期間を経て硬化した後、その周囲を掘削土で埋め戻して転圧する。
(6) 前記基礎上の所定位置に前記アンカーボルト及びベースプレートを介して鉄骨柱を建て込み、この鉄骨柱に鉄骨梁を架設する。
(7) 躯体コンクリート工事及びその仕上工事を行う。
【０００３】
【発明が解決しようとする課題】
上記従来技術においては、次のような問題点が指摘される。
(a) コンクリート杭の施工後、更に基礎を構築して基礎のコンクリートが十分に養生硬化してからでないと鉄骨の建方作業を行うことができないため、工期が長くなる。
(b) 鉄骨の建方作業が、基礎の構築後に根切り掘削部を埋め戻した地盤、すなわち埋め戻しによる乱された地盤上で重機によって行われるため、作業の安全性を確保するためには、基礎の周囲の埋め戻し地盤を十分に転圧する必要がある。
【０００４】
本発明は、上記のような事情のもとになされたもので、その技術的課題とするところは、鉄骨建方作業を基礎の構築に先行して行うことを可能とすることによって工期の短縮を図り、かつ安全に作業を遂行することにある。
【０００５】
【課題を解決するための手段】
上述した技術的課題は、本願発明によって有効に解決することができる。すなわち本願発明に係る鉄骨の先行建方による建築物の施工方法は、まず基礎の施工予定領域の地盤中に所定間隔で場所打ちコンクリート杭を造成する過程で前記場所打ちコンクリート杭に鉄骨材からなる仮柱を地上の所定高さに突出した状態で埋設する。仮柱の天端は地上の一定の高さとなるように切り揃え、捨てプレートを溶接しておく。この捨てプレートは、後述する基礎のコンクリートに一体化されるものであって、鉄骨柱との継手部となるものである。なお、ここでいう「基礎」とは、地中梁等を含むものである。
【０００６】
次に、仮柱の天端の捨てプレート上に鉄骨柱を建て込んでこの捨てプレートと鉄骨柱とを結合する。これによって、鉄骨柱が各場所打ちコンクリート杭上にそれぞれ仮柱を介して立設され、すなわち基礎の施工及びその養生期間を待つことなく、これに先行して鉄骨建方が行われる。
【０００７】
鉄骨建方終了後、基礎の施工予定領域の地盤を根切り掘削し、この根切り掘削部内に場所打ちコンクリート杭の天端と一体の基礎を構築する。そしてこの構築過程で、前記基礎のコンクリート中に前記仮柱全体を埋設状態とすることによって、鉄骨柱の下端部が捨てプレート及び仮柱を介して前記基礎に一体化される。また、この基礎の構築作業に並行して、地上の躯体工事を行う。
【０００８】
【発明の実施の形態】
以下、本発明に係る鉄骨の先行建方による建築物の施工方法の好適な一実施形態を、図１乃至図５を参照しながら説明する。
【０００９】
本実施形態の施工方法によれば、まず図１の要部断面斜視図に示すように、基礎の施工予定領域に沿って地盤１中に所定間隔で場所打ちコンクリート杭２を造成する。この場所打ちコンクリート杭２は、後述する鉄骨柱の建て込み位置に対応して造成され、その造成方法としては既知の方法、例えば地中に鋼管を打ち込んでその中にコンクリートを流し込みながら前記鋼管を引き抜く方法や、予め地盤を削孔してからこの孔にコンクリートを流し込む方法などが採用される。
【００１０】
場所打ちコンクリート杭２の造成過程においては、その上端部のコンクリート中に、例えばＨ型鋼等の鉄骨材からなる仮柱３が、地上の所定高さまで突出した状態となるように埋設される。したがってこの仮柱３は、経時的に硬化して行く前記場所打ちコンクリート杭２に一体化される。この仮柱３の天端３ａは一定の高さとなるように切り揃え、図２の要部断面斜視図に示すように、前記天端３ａ上には鋼板からなる略正方形状の捨てプレート３１を水平な鍔状に張り出した状態に配置して溶接する。捨てプレート３１には所要数のボルト挿通孔３１ａが開設されている。
【００１１】
場所打ちコンクリート杭２が硬化することによって仮柱３が強固に固定されたら、図３の立面図に示すように、仮柱３の天端の捨てプレート３１上にＨ型鋼等からなる鉄骨柱４を建て込む。鉄骨柱４の下端部には捨てプレート３１と同様のベースプレート４１が予め溶接されており、このベースプレート４１と捨てプレート３１を、互いに位置合わせした双方のボルト挿通孔に挿通したボルト６（図５参照）及びこれに螺合するナット（図示省略）で緊結することによって、鉄骨柱４は、仮柱３に結合され、この仮柱３を介して場所打ちコンクリート杭２にしっかり保持される。また、このようにして建て込んだ各鉄骨柱４，４間には各階の鉄骨梁５を架設する。
【００１２】
上述の鉄骨柱４の建て込み及び鉄骨梁５の架設といった鉄骨建方作業には重機が用いられるが、この鉄骨建方は、場所打ちコンクリート杭２に設けた仮柱３によって、後述する根切り掘削を伴う基礎７の施工に先行して行われるため、前記重機は未掘削の原地盤１（土粒子の結合組織が乱されていない地盤）上で安全に走行することができる。
【００１３】
次に図４の立面図及び図５の要部断面斜視図に示すように、仮柱３の周囲を含む基礎の施工予定領域の地盤１を根切り掘削して、場所打ちコンクリート杭２の天端部が露出する根切り部１１を形成し、この根切り部１１に沿って基礎７を構築する。基礎７の構築は、根切り部１１に沿って型枠を組み立て、その中に所要の鉄筋を配設してからコンクリートを打設するといった既知の方法で行われる。前記型枠は、場所打ちコンクリート杭２の天端部と、そこから突出した仮柱３及び捨てプレート３１を包囲するように組み立てられ、したがって、前記場所打ちコンクリート杭２の天端部と、仮柱３及び捨てプレート３１は、前記型枠へのコンクリート打設によって施工される基礎７に埋設状態となり、経時的に養生硬化して行くこのコンクリート（基礎７）に一体化される。
【００１４】
一方、鉄骨柱４及び鉄骨梁５の建方作業後は、この鉄骨への型枠組み立てや配筋、コンクリート打設といった工程を経て、図４に示すように上階の躯体８を順次施工して行くが、これらの作業は、基礎７の施工完了を待つことなく、前記鉄骨建方の終了後に直ちに継続して行うことができる。これは、鉄骨柱４が基礎７の構築以前にすでに仮柱３を介して地中の場所打ちコンクリート杭２にしっかり支持固定されているからである。したがって、上階の躯体８の施工は基礎７の施工と並行して行うことができ、工期が短縮される。
【００１５】
基礎７はそのコンクリートの硬化と共に、躯体８の荷重に対する支持力を発現する。また、基礎７のコンクリート硬化後は、その周囲の根切り部１１を埋め戻すが、既に鉄骨建方は終了しているのであるから、鉄骨建方のための重機が走行することを想定した埋め戻し地盤の転圧は不要となる。
【００１６】
なお、本発明は、図示の実施形態によって限定的に解釈されるものではない。例えば上記実施形態では、仮柱３は場所打ちコンクリート杭２に一体化した後、その天端３ａを一定の高さで切り揃えて捨てプレート３１を溶接したが、捨てプレート３１は予め仮柱３に溶接しておくこともできる。
【００１７】
【発明の効果】
本発明に係る鉄骨の先行建方による建築物の施工方法によれば、次のような効果が実現される。
(1) 鉄骨建方が基礎の施工に先行して行われ、その後の躯体工事も基礎の施工完了を待つことなく行うことができるので、工期が著しく短縮される。
(2) 鉄骨建方が基礎の施工のための根切り掘削に先行して、掘削により乱されていない原地盤上で行われるため、作業の安全性が向上する。
(3) 基礎の施工後の埋め戻し地盤を、鉄骨建方に用いられる重機の走行を想定して転圧する必要がない。
【図面の簡単な説明】
【図１】本発明に係る施工方法の一実施形態において、地盤中に場所打ちコンクリート杭を造成する過程でこの場所打ちコンクリート杭に仮柱を地上の所定高さに突出した状態を示す要部断面斜視図である。
【図２】上記実施形態において、仮柱の天端に捨てプレートを溶接した状態を示す要部断面斜視図である。
【図３】上記実施形態において、仮柱の天端の捨てプレート上での鉄骨建方の工程を示す立面図である。
【図４】上記実施形態において、地盤を根切り掘削して場所打ちコンクリート杭上に基礎を構築しこの基礎に仮柱を埋設した状態を示す立面図である。
【図５】上記実施形態において、地盤を根切り掘削して場所打ちコンクリート杭上に基礎を構築しこの基礎に仮柱を埋設した状態を示す要部断面斜視図である。
【符号の説明】
１  地盤
１１  根切り部（根切り掘削部）
２  場所打ちコンクリート杭
３  仮柱
３１  捨てプレート
４  鉄骨柱
７  基礎
【図１】
0003790310.tif 000002
【図２】
0003790310.tif 000003
【図３】
0003790310.tif 000004
【図４】
0003790310.tif 000005
【図５】
0003790310.tif 000006